Podtech/llm-jp-corpus-v4-ja_patent huggingface dataset:
【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
ベアリングの軸線である軸線を中心とした回転を円滑化するためのベアリングであって、軸方向の一次スラスト荷重およびこれと逆方向の逆スラスト荷重の双方を受ける双方向ベアリングにおいて、前記ベアリングは、
テーパ状とされていることにより大きな直径の端部および小さな直径の端部を有する環状カップ軌道輪を有するカップと、
前記カップ軌道輪から径方向内側に離間されているとともにテーパ状とされていることにより大きな直径の端部および小さな直径の端部を有する環状コーン軌道輪を備えたコーンと、
それぞれが、転がり面、前記転がり面の一端における小さな直径の端面、および前記転がり面の他端における大きな直径の端面を有し、かつ前記カップ軌道輪と前記コーン軌道輪との間で一列に円周方向に互いに離間されているとともに、前記転がり面に沿って前記カップ軌道輪および前記コーン軌道輪に接触している複数のテーパ状ローラ部材と、
前記逆スラスト荷重を伝達するように前記カップに対して固定されているとともに、前記カップ軌道輪の前記の大きな直径の端部において径方向内側に延びた環状スラスト面Ａを有するカップスラストリブリングと、
を備えており、各ローラ部材の前記の大きな直径の端面は、スラスト面Ａに隣接しかつ対向しており、前記ベアリングは、さらに、
前記一次スラスト荷重を伝達するように前記コーンに対して固定されているとともに、前記コーン軌道輪の前記の大きな直径の端部において径方向外側に延びた環状スラスト面Ｂを有する第１コーンスラストリブリングを備えており、各ローラ部材の前記の大きな直径の端面は、スラスト面Ｂに隣接しかつこれと対向するように配置されており、前記ベアリングは、さらに、
前記逆スラスト荷重を伝達するように前記コーンに対して固定されているとともに、前記コーン軌道輪の前記の小さな直径の端部において径方向外側に延びた環状スラスト面Ｃを有する第２コーンスラストリブリングを備えており、各ローラ部材の前記の小さな直径の端面は、前記スラスト面Ｃに隣接しかつこれと対向するように配置されており、スラスト面Ｂ，Ｃ間の距離は前記ローラ部材の長さよりも大きく、
（１）前記一次スラスト荷重が前記カップおよびコーンに加わって、前記カップ軌道輪および前記コーン軌道輪が互いに近づくように付勢されたときに、前記ローラ部材の前記の大きな直径の端面は、前記スラスト面Ａから離れた状態を保ちつつ、荷重が支持されるように前記スラスト面Ｂに接触し、
（２）前記逆スラスト荷重が前記カップおよびコーンに加わって、前記カップ軌道輪および前記コーン軌道輪が互いに離れるように付勢されたときに、前記ローラ部材の前記の大きな直径の端面および前記の小さな直径の端面は、それぞれ前記スラスト面Ａおよび前記スラスト面Ｃに、荷重が支持されるように接触する、ように構成されていることを特徴とするベアリング。
【請求項２】
前記ベアリングが、ガスタービンエンジンのメインシャフト用スラストベアリングであることを特徴とする請求項１記載のベアリング。
【請求項３】
前記第１コーンスラストリブリングが、前記コーンと一体化されていることを特徴とする請求項１記載のベアリング。
【請求項４】
非回転の構造、および前記構造により支持されているとともにその内部で回転可能なシャフトを備えたガスタービンエンジン用の双方向テーパ状ローラベアリングであって、前記シャフトは、その一端に固定された少なくとも１つの圧縮機ディスクと、その他端に固定された少なくとも１つのタービンディスクと、を備えており、前記ローラベアリングが前記シャフトの一端に配置されていることにより、前記シャフトの回転が促進されているとともに、軸方向の一次スラスト荷重およびこれと逆方向の逆スラスト荷重の双方のスラスト荷重が前記構造へと伝わるようになっており、前記ローラベアリングは、
（ａ）テーパ状となっていることにより大きな直径の端部および小さな直径の端部を有する環状カップ軌道輪を有するカップと、
（ｂ）前記カップ軌道輪から径方向内側に離間されているとともに、テーパ状となっていることにより大きな直径の端部および小さな直径の端部を有する環状コーン軌道輪を備えたコーンと、
（ｃ）それぞれが、転がり面、前記転がり面の一端における小さな直径の端面、および前記転がり面の他端における大きな直径の端面を有し、かつ前記カップ軌道輪と前記コーン軌道輪との間で一列に円周方向に互いに離間されているとともに、前記転がり面に沿って前記カップ軌道輪および前記コーン軌道輪に接触している複数のテーパ状ローラ部材と、
を備えており、さらに、
（１）前記カップに対して固定されているとともに、前記カップ軌道輪の前記の大きな直径の端部において径方向内側に延びた環状スラスト面Ａを有するカップスラストリブリングと、を備えており、各ローラ部材の前記の大きな直径の端面は、スラスト面Ａに隣接しかつ対向しており、
（２）前記コーンに対して固定されているとともに、前記コーン軌道輪の前記の小さな直径の端部において径方向外側に延びた環状スラスト面Ｃを有する第１コーンスラストリブリングを備えており、各ローラ部材の前記の小さな直径の端面は、前記スラスト面Ｃに隣接しかつこれと対向するように配置されており、前記スラスト面Ａおよび前記スラスト面Ｃは、前記逆スラスト荷重が前記カップおよびコーンに加わって、前記カップ軌道輪および前記コーン軌道輪が互いに離れるように付勢されたときに、各ローラ部材の前記の大きな直径の端面および前記の小さな直径の端面に、それぞれ荷重を伝達するように接触する、ように構成されており、
（３）前記コーンに対して固定されているとともに、前記コーン軌道輪の前記の大きな直径の端部において径方向外側に延びた環状スラスト面Ｂを有する第２コーンスラストリブリングを備えており、各ローラ部材の前記の大きな直径の端面は、前記スラスト面Ｂに隣接しかつこれと対向するように配置されており、前記スラスト面Ｂ，Ｃ間の距離は前記ローラ部材の長さよりも大きく、前記スラスト面Ｂは、前記一次スラスト荷重が前記カップおよびコーンに加わって、前記カップ軌道輪および前記コーン軌道輪が互いに近づくように付勢されたときに、各ローラ部材の前記の大きな直径の端面に、荷重を伝達するように接触する、ように構成されていることを特徴とするガスタービンエンジン用の双方向テーパ状ローラベアリング。
【請求項６】
前記コーンが、前記シャフトに対して固定されてこれとともに回転することを特徴とする請求項５記載のローラベアリング。
【請求項７】
前記の第２コーンスラストリブリングは、前記コーンと一体化されていることを特徴とする請求項６記載のローラベアリング。
【手続補正２】
【補正対象書類名】明細書
【補正対象項目名】発明の名称
【補正方法】変更
【補正の内容】
【発明の名称】双方向テーパ状スラストローラベアリング
【手続補正書】
【提出日】平成17年2月4日(2005.2.4)
【手続補正１】
【補正対象書類名】明細書
【補正対象項目名】発明の名称
【補正方法】変更
【補正の内容】
【発明の名称】ファイバ余長処理装置及び余長処理方法
【手続補正２】
【補正対象書類名】明細書
【補正対象項目名】特許請求の範囲
【補正方法】変更
【補正の内容】
【特許請求の範囲】
【請求項１】
ファイバケーブルを収納するケースと、上記ケースに収納されているファイバケーブルを押さえるブッシュとを備えたファイバ余長処理装置において、上記ブッシュのフランジに穴を設けたことを特徴とするファイバ余長処理装置。
【請求項２】
ブッシュのフランジに複数個の穴を回転対称に設けたことを特徴とする請求項１記載のファイバ余長処理装置。
【請求項３】
ブッシュを透明部材で構成することを特徴とする請求項１または請求項２記載のファイバ余長処理装置。
【請求項４】
ケースに形成されているボスをブッシュのフランジに設けられた穴に通すことを特徴とする請求項１から請求項３のうちのいずれか１項記載のファイバ余長処理装置。
【請求項５】
ファイバケーブルを収納するケースと、上記ケースに収納されているファイバケーブルを押さえるブッシュとを備えたファイバ余長処理装置において、上記ブッシュを透明部材で構成することを特徴とするファイバ余長処理装置。
【請求項６】
ファイバ余長処理装置のケースに形成されているファイバガイドにファイバケーブルを巻き付けることにより、上記ファイバケーブルの余長を処理する余長処理方法において、ブッシュのフランジに設けられている穴越しに上記ファイバケーブルを目視して、上記ファイバケーブルに対する上記ファイバガイドの支持状態を確認する余長処理方法。
【請求項７】
ファイバ余長処理装置のケースに形成されているファイバガイドにファイバケーブルを巻き付けることにより、上記ファイバケーブルの余長を処理する余長処理方法において、透明部材で構成されているブッシュ越しに上記ファイバケーブルを目視して、上記ファイバケーブルに対する上記ファイバガイドの支持状態を確認する余長処理方法。
【手続補正３】
【補正対象書類名】明細書
【補正対象項目名】０００７
【補正方法】変更
【補正の内容】
【０００７】
【課題を解決するための手段】
この発明に係るファイバ余長処理装置は、ブッシュのフランジに穴を設けたものである。
【手続補正４】
【補正対象書類名】明細書
【補正対象項目名】０００８
【補正方法】変更
【補正の内容】
【０００８】
この発明に係るファイバ余長処理装置は、ブッシュのフランジに複数個の穴を回転対称に設けたものである。
【手続補正５】
【補正対象書類名】明細書
【補正対象項目名】０００９
【補正方法】変更
【補正の内容】
【０００９】
この発明に係るファイバ余長処理装置は、フランジに穴が設けられているブッシュを透明部材で構成するようにしたものである。
【手続補正６】
【補正対象書類名】明細書
【補正対象項目名】００１０
【補正方法】変更
【補正の内容】
【００１０】
この発明に係るファイバ余長処理装置は、ケースに形成されているボスをブッシュのフランジに設けられた穴に通すようにしたものである。
【手続補正７】
【補正対象書類名】明細書
【補正対象項目名】００１１
【補正方法】変更
【補正の内容】
【００１１】
この発明に係るファイバ余長処理装置は、ブッシュを透明部材で構成するようにしたものである。
【手続補正８】
【補正対象書類名】明細書
【補正対象項目名】００１２
【補正方法】変更
【補正の内容】
【００１２】
この発明に係る余長処理方法は、ブッシュのフランジに設けられている穴越しにファイバケーブルを目視して、上記ファイバケーブルに対するファイバガイドの支持状態を確認するようにしたものである。
【手続補正９】
【補正対象書類名】明細書
【補正対象項目名】００１３
【補正方法】変更
【補正の内容】
【００１３】
この発明に係る余長処理方法は、透明部材で構成されているブッシュ越しにファイバケーブルを目視して、上記ファイバケーブルに対するファイバガイドの支持状態を確認するようにしたものである。
【手続補正１０】
【補正対象書類名】明細書
【補正対象項目名】００２６
【補正方法】変更
【補正の内容】
【００２６】
この発明によれば、ブッシュのフランジに設けられている穴越しにファイバケーブルを目視して、上記ファイバケーブルに対するファイバガイドの支持状態を確認するように構成したので、光ファイバケーブルの挟み込みを防止することができる効果がある。
【手続補正１１】
【補正対象書類名】明細書
【補正対象項目名】００２７
【補正方法】変更
【補正の内容】
【００２７】
この発明によれば、透明部材で構成されているブッシュ越しにファイバケーブルを目視して、上記ファイバケーブルに対するファイバガイドの支持状態を確認するように構成したので、光ファイバケーブルの挟み込みを防止することができる効果がある。
【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
腕時計ケースの上面側に時刻などの情報を表示する表示部およびシート状のキーボード部が並べて設けられた電子腕時計において、
前記表示部に対応する個所の前記腕時計ケースにモジュール収納部を設け、このモジュール収納部の下部に金属製の裏蓋を取り付け、前記キーボード部の下側に位置する個所の前記腕時計ケースにアンテナを収納するアンテナ収納部を前記裏蓋から離して設けたことを特徴とする電子腕時計。
【請求項２】
前記キーボード部は、上から順に、下面に可動接点が設けられた上部シートと、前記可動接点に対応する開口部が設けられたスペーサシートと、上面に前記可動接点に対応する固定接点および格子状に配列された前記配線が設けられた下部シートとが積層され、前記可動接点、前記固定接点、および前記配線が、銀ベース上にカーボンを印刷した導電材で形成されていることを特徴とする請求項１記載の電子腕時計。
【手続補正２】
【補正対象書類名】明細書
【補正対象項目名】０００６
【補正方法】変更
【補正の内容】
【０００６】
【課題を解決するための手段】
この発明は、腕時計ケースの上面側に時刻などの情報を表示する表示部およびシート状のキーボード部が並べて設けられた電子腕時計において、前記表示部に対応する個所の前記腕時計ケースにモジュール収納部を設け、このモジュール収納部の下部に金属製の裏蓋を取り付け、前記キーボード部の下側に位置する個所の前記腕時計ケースにアンテナを収納するアンテナ収納部を前記裏蓋から離して設けたことを特徴とする。


【手続補正３】
【補正対象書類名】明細書
【補正対象項目名】００１９
【補正方法】変更
【補正の内容】
【００１９】
【発明の効果】
以上説明したように、この発明によれば、腕時計ケースの上面側に時刻などの情報を表示する表示部およびシート状のキーボード部が並べて設けられた電子腕時計において、キーボード部の下側に位置する個所の腕時計ケースにアンテナを収納するアンテナ収納部を金属製の裏蓋から離して設けたので、従来例のように腕時計ケースの側部にアンテナを収納するための突出部を設ける必要がなく、このため表示部およびキーボード部を並べて設けても、腕時計全体の小型化を図ることができると共に、アンテナが金属製の裏蓋から離れ、かつキーボード部の配線が格子状に設けられていることにより、これら格子状の配線間を電波が通過するので、キーボード部の下側に設けられたアンテナ収納部にアンテナを設けても、このアンテナで良好に電波を受信することができる。
【手続補正書】
【提出日】平成17年3月4日(2005.3.4)
【手続補正１】
【補正対象書類名】明細書
【補正対象項目名】請求項１
【補正方法】変更
【補正の内容】
【請求項１】
基礎（１）の上に土台（３）を載せ、その上に、所定モジュールに形成された複数枚の壁パネル（Ｗ）を並列状に立てて相互に連結することにより、側壁が構成される木造建築物において、前記基礎（１）から土台（３）へ向け突出するアンカーボルト（１ｂ）を埋設し、このアンカーボルト（１ｂ）を土台（３）に貫通して連結すると共に、上記土台（３）と壁パネル（Ｗ）の下端部とに亘って、該土台（３）の隣り合う三面を覆う略Ｕ字形の接合金物（７）を嵌合して連結したことを特徴とする木造建築物。
【手続補正２】
【補正対象書類名】明細書
【補正対象項目名】０００５
【補正方法】変更
【補正の内容】
【０００５】
【課題を解決するための手段】
前述した目的を達成するために、本発明のうち請求項１記載の発明は、基礎から土台へ向け突出するアンカーボルトを埋設し、このアンカーボルトを土台に貫通して連結すると共に、上記土台と壁パネルの下端部とに亘って、該土台の隣り合う三面を覆う略Ｕ字形の接合金物を嵌合して連結したことを特徴とするものである。
請求項２記載の発明は、請求項１記載の発明の構成に、前記壁パネルの少なくとも中間層が、平行な帯板が適宜間隔毎に配列された複数組の板層を、隣り合う板層の帯板が交差するように積層して接着した構成を加えたことを特徴とする。
請求項３記載の発明は、請求項１または２記載の発明の構成に、前記壁パネルの上端面に、二階の床パネルを載置し、その上に二階の壁パネルを載置すると共に、これら一階の壁パネル、二階の床パネル及び二階の壁パネルを平金物で連結した構成を加えたことを特徴とする。
【手続補正３】
【補正対象書類名】明細書
【補正対象項目名】０００６
【補正方法】変更
【補正の内容】
【０００６】
【作用】
請求項１の発明は、基礎から突出するアンカーボルトを土台に貫通して連結することにより、基礎と土台が一体化され、このアンカーボルトを土台に貫通して連結すると共に、上記土台と壁パネルの下端部とに亘って、該土台の隣り合う三面を覆う略Ｕ字形の接合金物を嵌合して連結することにより、土台と壁パネルの下端部が一体化され、その結果、基礎に対して土台及び壁パネルの下端部が夫々移動不能に固着されるものである。
請求項２の発明は、請求項１記載の構成に対して、前記壁パネルの少なくとも中間層が、平行な帯板が適宜間隔毎に配列された複数組の板層を、隣り合う板層の帯板が交差するように積層して接着した構成を追加したので、交差して積層された平行な帯板の複数箇所を相互に接着することにより、パネル全体の構造耐力が増大し、各帯板が乾燥しても変形しないと共に、各帯板の間に空間部が二方向へ形成される。
請求項３の発明は、請求項１または２記載の構成に対して、前記壁パネルの上端面に、二階の床パネルを載置し、その上に二階の壁パネルを載置すると共に、これら一階の壁パネル、二階の床パネル及び二階の壁パネルを平金物で連結した構成を追加したので、一階の壁パネルと二階の床パネルと二階の壁パネルが直接連結される。
【手続補正４】
【補正対象書類名】明細書
【補正対象項目名】００２２
【補正方法】変更
【補正の内容】
【００２２】
【発明の効果】
以上説明したように、本発明のうち請求項１記載の発明は、基礎から突出するアンカーボルトを土台に貫通して連結することにより、基礎と土台が一体化され、このアンカーボルトを土台に貫通して連結すると共に、上記土台と壁パネルの下端部とに亘って、該土台の隣り合う三面を覆う略Ｕ字形の接合金物を嵌合して連結することにより、土台と壁パネルの下端部が一体化され、その結果、基礎に対して土台及び壁パネルの下端部が夫々移動不能に固着されるので、軸組壁工法や木造枠組壁構法の枠組なしでも壁パネルの浮き上がりを防止できる。
従って、枠組を作る必要がある軸組壁工法や木造枠組壁構法に比べ、手間が省けて建設工期を大幅に短縮できるだけでなく、地震などの揺れに伴って壁パネルが転倒せず、耐震性に優れる。
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
除振台上にステージを載置したステージ装置において、
前記ステージを加減速駆動する駆動手段と、
前記ステージの目標移動量または加減速の開始信号を入力情報として入力する入力手段と、
前記入力手段への入力情報に基づいて前記駆動手段に加速信号を出力するとともに、該加速信号を出力してからｎ×Ｔ秒（ただし、ｎは自然数、Ｔは除振台の固有揺動振動周期［秒］）後に、前記加速信号と同波形で方向が逆になる減速信号を出力する制御手段とを具備したことを特徴とするステージ装置。
【請求項２】
除振台上にステージを載置したステージ装置において、
前記ステージを加減速駆動する駆動手段と、
前記ステージの目標移動速度を入力情報として入力する入力手段と、
前記入力手段への入力内容に基づいて前記駆動手段に第１の加速信号を出力するとともに、該第１の加速信号を出力してから（ｎ−０．５）×Ｔ秒（ただし、ｎは自然数、Ｔは除振台の固有揺動振動周期［秒］）後に、前記第１の加速信号と同波形で方向が同じ第２の加速信号を出力する制御手段とを具備したことを特徴とするステージ装置。
【請求項３】
制御手段は、前記除振台の固有揺動振動周期Ｔに相当する変数Ｔｃを外部より変更可能にし、該変数Ｔｃを前記固有揺動振動周期Ｔとみなして前記駆動装置を制御することを特徴とする請求項１または２記載のステージ装置。
【手続補正２】
【補正対象書類名】明細書
【補正対象項目名】００１５
【補正方法】変更
【補正の内容】
【００１５】
請求項２記載の発明は、除振台上にステージを載置したステージ装置において、前記ステージを加減速駆動する駆動手段と、前記ステージの目標移動速度を入力情報として入力する入力手段と、前記入力手段への入力内容に基づいて前記駆動手段に第１の加速信号を出力するとともに、該第１の加速信号を出力してから（ｎ−０．５）×Ｔ秒（ただし、ｎは自然数、Ｔは除振台の固有揺動振動周期［秒］）後に、前記第１の加速信号と同波形で方向が同じ第２の加速信号を出力する制御手段とを具備したことを特徴としている。
【手続補正３】
【補正対象書類名】明細書
【補正対象項目名】００２４
【補正方法】変更
【補正の内容】
【００２４】
このような構成において、いま、入力装置１１よりステージ４の目標移動量Ｄ１が入力されると、制御装置８は、上述した（１）式よりステージ４の加速信号Ａ１を演算により求める。図２（Ａ’）は、この加速信号Ａ１を拡大して図示したものである。加速信号Ａ１は、図２（Ａ）に示すタイミングで加減速装置９に与えられ、ステージ４は、同図（Ｂ）に示すように加速され、同図（Ｃ）に示すように移動される。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
円筒状ボディ、及びその円筒状ボディ内で往復するリップシールを備えた往復ピストンを有する型式の空気ダンパーであって、
その往復ピストンの作動の滑らかさを高めるために、そのリップシール上にグラファイト粉末のコーティングを備えたことを特徴とする、空気ダンパー。
【請求項２】
前記リップシールが、少なくとも３％のモリブデンで含浸されたゴム又は熱可塑性エラストマーを含む、請求項１に記載の空気ダンパー。
【請求項３】
前記リップシールが、少なくとも２％のポリテトラフルオロエチレンで含浸されたゴム又は熱可塑性エラストマーを含む、請求項１に記載の空気ダンパー。
【請求項４】
前記リップシールが、少なくとも２％のシリコーンで含浸されたゴム又は熱可塑性エラストマーを含む、請求項１に記載の空気ダンパー。
【請求項５】
前記リップシールが、少なくとも２％のワックスで含浸されたゴム又は熱可塑性エラストマーを含む、請求項１に記載の空気ダンパー。
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
表示画像データに基づき光源からの光を変調して画像を表示する装置であって、
前記光源からの光の光伝搬特性を制御する複数の第１光変調素子と、
前記各第１光変調素子からの光を合成する光合成手段と、
前記光合成手段によって合成された合成光の光伝搬特性を制御する第２光変調素子と、
前記第1光変調素子上に形成された光学像を前記第２光変調素子上に伝達する少なくとも１つのリレー素子と、を備えることを特徴とする光学表示装置。
【請求項２】
前記リレー素子を含むリレー光学系は、両側テレセントリック性を有することを特徴とする請求項１に記載の光学表示装置。
【請求項３】
表示画像データに基づき光源からの光を変調して画像を表示する装置であって、
前記光源からの光を、異なる複数の特定波長領域の光に分離する光分離手段と、
前記光分離手段からの分離光の光伝搬特性をそれぞれ制御する複数の第１光変調素子と、
前記複数の第１光変調素子からの光を合成する光合成手段と、
前記光合成手段によって合成された合成光の光伝搬特性を制御する第２光変調素子と、
前記第1光変調素子上に形成された光学像を前記第２光変調素子上に伝達する少なくとも１つのリレー素子と、を備えることを特徴とする光学表示装置。
【請求項４】
前記リレー素子を含むリレー光学系は、両側テレセントリック性を有することを特徴とする請求項３に記載の光学表示装置。
【請求項５】
前記光分離手段は、前記光源からの光を入射する入射面と、前記各分離光を射出する複数の射出面とを有し、
前記光合成手段は、前記光分離手段の各射出面に対応する複数の入射面と、前記合成光を射出する射出面とを有し、
前記光分離手段の射出面毎に、当該射出面から射出した分離光を前記光合成手段の対応する入射面に伝達し、且つ、当該分離光の光路長が他の分離光の光路長と同一又はほぼ同一となるように光伝達手段を設けるとともに、前記光分離手段の射出面及び当該射出面に対応する前記光合成手段の入射面の各光路上に前記第１光変調素子を配置したことを特徴とする請求項３又は請求項４記載の光学表示装置。
【請求項６】
前記各第１光変調素子と前記光合成手段との間に第１集光レンズを設けたことを特徴とする請求項１乃至請求項５のいずれか１項に記載の光学表示装置。
【請求項７】
前記リレー素子と前記第２光変調素子との間に第２集光レンズを設けたことを特徴とする請求項１乃至請求項６のいずれか１項に記載の光学表示装置。
【請求項８】
前記各特定波長領域の光に対応する前記第１光変調素子と前記第２光変調素子との間の距離を、各特定波長領域の光毎に異ならせたことを特徴とする請求項１乃至請求項７のいずれか１項に記載の光学表示装置。
【請求項９】
前記第１光変調素子以降の光路上に１つ以上の非球面レンズを設けたことを特徴とする請求項１乃至請求項８のいずれか１項に記載の光学表示装置。
【請求項１０】
前記第１光変調素子以降の光路上に１つ以上のアクロマートレンズを設けたことを特徴とする請求項１乃至請求項９のいずれか１項に記載の光学表示装置。
【請求項１１】
前記第２光変調素子は、前記第１光変調素子の表示解像度よりも高い表示解像度を有することを特徴とする請求項１乃至請求項１０のいずれか１項に記載の光学表示装置。
【請求項１２】
前記第１光変調素子は、前記第２光変調素子の表示解像度よりも高い表示解像度を有することを特徴とする請求項１乃至請求項１０のいずれか１項に記載の光学表示装置。
【請求項１３】
前記第１光変調素子における表示面の寸法を、前記第２光変調素子における表示面の寸法よりも大きくしたことを特徴とする請求項１乃至請求項１２のいずれか１項に記載の光学表示装置。
【請求項１４】
前記第２光変調素子における表示面の寸法を、前記第１光変調素子における表示面の寸法よりも大きくしたことを特徴とする請求項１乃至請求項１２のいずれか１項に記載の光学表示装置。
【請求項１５】
請求項１乃至請求項１４のいずれか１項に記載の光学表示装置と、当該光学表示装置からの出力光を投射する投射手段と、を備えることを特徴とする投射型表示装置。
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
被処理体（２）の側方周囲及び上方を覆う高圧容器本体（３）と、この高圧容器本体（３）の下端開口を閉塞する下蓋（４）とを備えて構成された高圧容器（１）を設け、この高圧容器（１）内で、流体圧力を利用して、被処理体（２）の処理を行うようにした流体圧処理装置において、
被処理体（２）を高圧容器（１）に対して出し入れすべく、高圧容器本体（３）を下蓋（４）に対して昇降させる昇降手段（５）を設け、この昇降手段（５）を高圧容器本体（３）の側方に備え、高圧容器（１）内部の流体圧力により発生する上下方向の荷重を支持する複数のプレスフレーム（２３）を備え、このプレスフレーム（２３）間に昇降手段（５）を配置したことを特徴とする流体圧処理装置。
【請求項２】
下蓋（４）を高圧容器本体（３）の真下から側方に移動させる移送手段（２１），（２２）を備えたことを特徴とする請求項１記載の流体圧処理装置。
【請求項３】
高圧容器本体（３）内部に電気炉（９）が組み込まれると共に、高圧容器本体（３）外部に水冷用ジャケット（１０）が装着され、これら電気炉（９）および水冷用ジャケット（１０）が高圧容器本体（３）と一体的に昇降する構造であることを特徴とする請求項１または２記載の流体圧処理装置。
【請求項４】
電気炉（９）の加熱装置（１２）が、高圧容器本体（３）内に該高圧容器本体（３）下端開口を介して挿脱自在であると共に高圧容器本体（３）の下端部近傍にて着脱自在に設けられていると共に、電力供給源側と電気炉（９）側とを接続するコネクタ（１５）の一方（１５Ａ）が下蓋（４）に、他方（１５Ｂ）が高圧容器本体（３）に設けられ、高圧容器本体（３）の昇降動作によって、コネクタ（１５）が分離・接続自在に構成されていることを特徴とする請求項３記載の流体圧処理装置。
【手続補正２】
【補正対象書類名】明細書
【補正対象項目名】０００９
【補正方法】変更
【補正の内容】
【０００９】
【課題を解決するための手段】
本発明が前記目的を達成すために講じた技術的手段は、被処理体２の側方周囲及び上方を覆う高圧容器本体３と、この高圧容器本体３の下端開口を閉塞する下蓋４とを備えて構成された高圧容器１を設け、この高圧容器１内で、流体圧力を利用して、被処理体２の処理を行うようにした流体圧処理装置において、被処理体２を高圧容器１に対して出し入れすべく、高圧容器本体３を下蓋４に対して昇降させる昇降手段５を設け、この昇降手段５を高圧容器本体３の側方に備え、高圧容器１内部の流体圧力により発生する上下方向の荷重を支持する複数のプレスフレーム２３を備え、このプレスフレーム２３間に昇降手段５を配置したことを特徴とする。


【手続補正３】
【補正対象書類名】明細書
【補正対象項目名】００１０
【補正方法】変更
【補正の内容】
【００１０】
また、下蓋４を高圧容器本体３の真下から側方に移動させる移送手段２１，２２を備えたことも特徴とする。
【手続補正書】
【提出日】平成16年4月19日(2004.4.19)
【手続補正１】
【補正対象書類名】明細書
【補正対象項目名】請求項１
【補正方法】変更
【補正の内容】
【請求項１】
集積回路チップ上に形成される機能領域の動作周波数を試験する半導体集積回路の試験回路において、
該試験回路は、前記機能領域に入力される試験信号を設定する入力信号設定手段と、前記機能領域により処理された前記試験信号と所定の期待値信号とを比較する出力信号評価手段と、該出力信号評価手段からの評価結果に基づいて、前記機能領域への試験状態を切り換える試験状態切換手段と、少なくとも前記入力信号設定手段及び前記出力信号評価手段に所定の周波数のクロック信号を供給するクロック供給手段と、を具備し、
前記クロック供給手段は、供給する前記クロック信号の周波数を順次変更して前記機能領域の試験を行うことにより、前記機能領域が正常な処理を実行可能な最高の周波数を検出することを特徴とする半導体集積回路の試験回路。
【手続補正２】
【補正対象書類名】明細書
【補正対象項目名】０００７
【補正方法】変更
【補正の内容】
【０００７】
【課題を解決するための手段】
上記目的を達成するために、請求項1記載の発明は、集積回路チップ上に形成される機能領域の動作周波数を試験する半導体集積回路の試験回路において、該試験回路は、前記機能領域に入力される試験信号を設定する入力信号設定手段と、前記機能領域により処理された前記試験信号と所定の期待値信号とを比較する出力信号評価手段と、該出力信号評価手段からの評価結果に基づいて、前記機能領域への試験状態を切り換える試験状態切換手段と、少なくとも前記入力信号設定手段及び前記出力信号評価手段に所定の周波数のクロック信号を供給するクロック供給手段と、を具備し、前記クロック供給手段は、供給する前記クロック信号の周波数を順次変更して前記機能領域の試験を行うことにより、前記機能領域が正常な処理を実行可能な最高の周波数を検出することを特徴としている。
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
スライドガラス上の検体を順次、撮像部で撮像して、検体を自動検査するとともに、撮像した検体を表示部に画像表示する検査装置において、撮像した検体の検査結果を記憶しておき、各検体の検査進行経過を表示する検査進行経過表示部と、検査中の検体画像を表示する検体画像情報表示部と、検査結果を表示する検査結果表示部とを有する画面を表示部に表示することを特徴とする検査装置。
【請求項２】
前記撮像部は、カセットに収納されて搬送されたスライドガラス上の検体を順次撮像し、前記検査進行経過表示部は、カセット番号を行列の一方に、各カセットの検体番号を行列の他方にとったマトリクスを表示するものである請求項１記載の検査装置。
【請求項３】
前記検査進行経過表示部に、前記マトリクスを、その任意の点を指定することにより検体を指定できるよう表示し、検体が指定されるとその検体に係る設定の変更し得るようにした請求項２記載の検査装置。
【請求項４】
前記検査進行経過表示部は、経過情報を処理状況に応じ、色、数値、形状、又は記号で区別して表示するものである請求項２又は請求項３記載の検査装置。
【請求項５】
前記検体画像情報表示部は、細胞のカウント予定数と現在のカウント数を表示する請求項１記載の検査装置。
【請求項６】
前記検査結果表示部は、その検査結果として、検体毎の細胞の分類結果を表示するものである請求項１記載の検査装置。
【手続補正２】
【補正対象書類名】明細書
【補正対象項目名】０００５
【補正方法】変更
【補正の内容】
【０００５】
【問題を解決するための手段】
この出願の特許請求の範囲の請求項１に係る検査装置は、スライドガラス上の検体を順次、撮像部で撮像して、検体を自動検査するとともに、撮像した検体を表示部に画像表示する検査装置において、撮像した検体の検査結果を記憶しておき、各検体の検査進行経過を表示する検査進行経過表示部と、検査中の検体画像を表示する検体画像情報表示部と、検査結果を表示する検査結果表示部とを有する画面を表示部に表示する。
【手続補正３】
【補正対象書類名】明細書
【補正対象項目名】０００６
【補正方法】変更
【補正の内容】
【０００６】
この検査装置では、ある検体の検査中に、その検体の画像情報と、予め処理予定の数の検体の検査進行経過と、それまでの検査結果が１つの画面に、同時に表示される。また、請求項２に係る検査装置は、請求項１に係るものにおいて、前記撮像部は、カセットから取り出されたスライドガラス上の検体を順次撮像し、前記検査進行経過表示部は、カセット番号を行列の一方に、各カセットの検体番号を行列の他方にとったマトリクスを表示するものである。検体の検査進行経過をマトリクス表示するものであるから、各検体の処理状況を一目で確認できる。
【手続補正４】
【補正対象書類名】明細書
【補正対象項目名】０００７
【補正方法】変更
【補正の内容】
【０００７】
また、請求項３に係る検査装置は、請求項２に係るものにおいて、前記検査進行経過表示部表示部に、前記マトリクスを、その任意の点を指定することにより検体を指定できるよう表示し、検体が指定されるとその検体に係る設定の変更し得るようにしたものである。任意の検体を指定することにより、その検体に関する設定条件が表示され、例えばカウント数、検体の塗抹方法等を変更できる。
【手続補正５】
【補正対象書類名】明細書
【補正対象項目名】０００８
【補正方法】変更
【補正の内容】
【０００８】
また、請求項４に係る検査装置は、請求項２又は請求項３に係るものにおいて、前記検査進行経過マトリクス表示部は、経過情報を処理状況に応じ、区別、例えば色、数値、形状、又は記号等で分けて表示する。区別されているので、処理状況の別が一目で分かる。また、請求項５に係る検査装置は、請求項１に係るものにおいて、検体画像情報表示部は、細胞のカウント予定数と現在のカウント数を表示するものである。この検査装置では、例えば、ある細胞のカウント予定数を１００と予定している場合で、現在カウント数が６５であれば、予定数を８０に変更できる。しかし、すでに６５をカウントしていて、設定を５０に変更することはできない。
【手続補正６】
【補正対象書類名】明細書
【補正対象項目名】０００９
【補正方法】変更
【補正の内容】
【０００９】
また、請求項６に係る検査装置は、請求項１に係るものにおいて、前記検査結果表示部は、その検査結果として、検体毎の細胞の分類結果を表示するものである。検査結果の中から、任意の検体を指定すると、その検体の一連の細胞画像が表示され、オペレータは目視により、再検査できる。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
冷蔵室と冷凍室を有し、冷蔵室の底壁に載置される給水タンクと、冷凍室に配置された製氷皿と、前記給水タンクの水を製氷皿へ導びくポンプとを備え、前記冷蔵室の底壁に低床部を形成し、この低床部に前記給水タンクを位置させてなる冷蔵庫。
【請求項２】
冷蔵室の底壁に給水タンクを着脱する摺動面を設け、この摺働面の延長線上に給水タンクを配設したことを特徴とする請求項１記載の冷蔵庫。
【請求項３】
低床部に凹部を設けたことを特徴とする請求項１又は２に記載の冷蔵庫。
【請求項４】
凹部の周囲を取り巻いてヒータが設けられていることを特徴とする請求項１に記載の冷蔵庫。
【手続補正２】
【補正対象書類名】明細書
【補正対象項目名】００２２
【補正方法】変更
【補正の内容】
【００２２】
請求項４記載に係る発明は、凹部の周囲を取り巻いてヒータが設けられていることを特徴とする請求項１に記載の冷蔵庫である。


【手続補正３】
【補正対象書類名】明細書
【補正対象項目名】００２３
【補正方法】変更
【補正の内容】
【００２３】
本発明は、凍結防止用のヒータで、給水タンク載置部に形成した凹部に溜まった水を蒸発させることができるものである。


【手続補正４】
【補正対象書類名】明細書
【補正対象項目名】００３５
【補正方法】変更
【補正の内容】
【００３５】
また、給水タンク載置部に凹部を設けることによって、給水タンクから水がこぼれた場合、水を溜めることができる。
さらにまた、給水タンク載置部に形成した凹部に溜まった水を蒸発させることができ、仕切部上を清潔に保つことができる。
【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
正弦波強度データをもとに液晶素子からなる格子に正弦波状の強度分布を有する格子パターンを形成し、該格子パターンを物体の表面に投影し物体の３次元形状を測定する格子パターン投影法を用いた３次元形状測定装置において、前記液晶素子に形成される一定のピッチと幅を有するストライブ状のＮ本の電極を３あるいは４の倍数の変数ｎでＮ／ｎ個のグループに分割し、各々のグループごとに正弦波状の強度分布を有する格子を１本ずつ作成する格子分割設定部と、正弦波の一周期を前記変数ｎでｎ等分に分割し該分割された各々の領域の正弦波の振幅と該正弦波のバイアス強度との和である正弦波格子の強度を正弦波強度データとして記憶する格子強度設定部と、前記ストライブ電極の各々に印加して発生させるＮ／ｎ本の正弦波強度分布を有する格子パターンの一周期を３あるいは４分割した周期を単位とし前記ストライブ電極に印加する液晶駆動信号の電圧印加の配列を順次変化させ前記格子パターンの位相を２π／３、あるいはπ／２ピッチごとにシフトさせる位相シフト設定部とを備え、前記変数ｎを変化させることによって測定される物体の表面形状に適する格子パターンを物体の表面に投影し物体の３次元形状を測定することを特徴とする格子パターン投影法を用いた３次元形状測定装置。
【請求項２】
スタティック型の駆動法により前記ストライブ電極に印加する前記の液晶駆動信号を作成するとき、前記Ｎ本のストライブ電極と対向した共通電極に印加する一定の周期を有する二値の強度レベルからなるデューティ比が５０％の基準信号に対して、該基準信号と同じ周期とデューティ比をもち、二値の強度レベルを有する信号を作成して前記基準信号との間の位相を変化させ、前記基準信号の半周期の期間に対して逆の位相となる期間の割合を前記の正弦波の振幅とバイアス強度の和の強度に応じて制御し、前記の和の強度に対応した液晶駆動実効電圧を発生させて正弦波強度分布を有する格子パターンを作成することを特徴とする請求項１記載の格子パターン投影法を用いた３次元形状測定装置。
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
検体を載せたスライドガラスを所定位置に搬送する搬送手段と、スライドガラス上の検体を拡大するための拡大手段と、スライドガラスを把持するためのスライドガラス把持部を有するＸ−Ｙステージ手段と、を備え、前記Ｘ−Ｙステージ手段は、前記スライドガラス把持部により前記所定位置にあるスライドガラスを把持して前記拡大手段まで移動させると共に、前記拡大手段に対してスライドガラスを位置決めすることを特徴とする検査装置。
【請求項２】
前記Ｘ−Ｙステージ手段の動作に連動するシャッタ機構を備え、前記スライドガラス把持部は、前記Ｘ−Ｙステージ手段とシャッタ機構との当接・離反動作に連動してスライドガラスの把持を行うことを特徴とする請求項１記載の検査装置。
【請求項３】
前記搬送手段は、スライドガラスを装置への挿入位置から前記所定位置まで搬送し、検査の終了したスライドガラスを前記所定位置から装置からの取出位置まで搬送することを特徴とする請求項１記載の検査装置。
【請求項４】
検体を載せたスライドガラスを収納するカセットと、前記カセットを所定位置に搬送する搬送手段と、スライドガラス上の検体を拡大するための拡大手段と、前記所定位置に搬送されたカセットのスライドガラスを把持するためのスライドガラス把持部を有するＸ−Ｙステージ手段と、を備え、前記Ｘ−Ｙステージ手段は、前記スライドガラス把持部により前記所定位置にあるカセットに収納されたスライドガラスを把持して前記拡大手段まで移動させると共に、前記拡大手段に対してスライドガラスを位置決めすることを特徴とする検査装置。
【手続補正２】
【補正対象書類名】明細書
【補正対象項目名】０００２
【補正方法】変更
【補正の内容】
【０００２】
【従来の技術】その種の検査装置は、例えば日常の臨床血液検査における末梢血の白血球の分類、赤血球の形態分析、血小板の計数、網状赤血球の計数等を行うもので、分類・分析・計数を自動的に行い、結果を印字したり、データを内蔵フロッピーディスクに記憶したり、或いは外部コンピュータに伝送したりするものである。
【手続補正３】
【補正対象書類名】明細書
【補正対象項目名】０００６
【補正方法】変更
【補正の内容】
【０００６】
【問題を解決するための手段】前記目的を達成するために、本発明の請求項１記載の検査装置は、検体を載せたスライドガラスを所定位置に搬送する搬送手段と、スライドガラス上の検体を拡大するための拡大手段と、スライドガラスを把持するためのスライドガラス把持部を有するＸ−Ｙステージ手段と、を備え、前記Ｘ−Ｙステージ手段は、前記スライドガラス把持部により前記所定位置にあるスライドガラスを把持して前記拡大手段まで移動させると共に、前記拡大手段に対してスライドガラスを位置決めすることを特徴とする。
【手続補正書】
【提出日】平成16年8月3日(2004.8.3)
【手続補正１】
【補正対象書類名】明細書
【補正対象項目名】０００３
【補正方法】変更
【補正の内容】
【０００３】
上記の検査用ヘッドにおいて、基板は、さらに、コネクタ部に接続された複数の第１の配線部と、該第１の配線部に接続された複数のテスターランドとを有し、各配線板は対応するプローブユニットのプローブに接続された複数の第２の配線部を有する。プローブユニットは、プローブが開口から突出した状態に基板に並列的に取り付けられている。
【手続補正２】
【補正対象書類名】明細書
【補正対象項目名】０００４
【補正方法】変更
【補正の内容】
【０００４】
各配線板の第２の配線部は、フラットケーブルにより基板のコネクタ部に接続される。基板のコネクタ部は、基板のテスターランドに接続されたポゴピンにより、プローブへの通電回路を有するテスタに接続される。テスタからプローブへの通電は、ポゴピン、基板の第１の配線部、フラットケーブル、及び、配線板の第２の配線部を介して行われる。
【手続補正３】
【補正対象書類名】明細書
【補正対象項目名】００２１
【補正方法】変更
【補正の内容】
【００２１】
基台すなわち基板１４は、電気絶縁板の一方の面（図においては、上面）に複数の第１の配線部２０を有し、複数の端子部２２を他方の面（図示の例では、下面）に有する配線基板である。各第１の配線部２０は、電気絶縁板に印刷配線技術のような適宜な手法で形成された配線パターンの一部であり、一端部において図示しないテスターランド（または、コネクタ部）に接続されている。各端子部２２は、図４に示すように、第１の配線部２０に対応されており、また基板１４を厚さ方向に貫通するスルーホールを形成する導電性部２４により対応する第１の配線部２０に接続されている。
【手続補正４】
【補正対象書類名】明細書
【補正対象項目名】００２２
【補正方法】変更
【補正の内容】
【００２２】
フレーム１６は長方形の形状を有しており、フレーム１６の各辺部は四角形の断面形状を有する。フレーム１６は、複数のプローブユニット１２を基板１４に取り外し可能に組み付けるためのものであり、基板１４に接着されている。しかし、フレーム１６を複数のねじ部材２６（図２参照）により基板１４に取り外し可能に取り付けてもよいし、フレーム１６を用いることなくプローブユニット１２を基板１４に取り外し可能に取り付けてもよい。
【手続補正５】
【補正対象書類名】明細書
【補正対象項目名】００３７
【補正方法】変更
【補正の内容】
【００３７】
検査用ヘッド１０は、基板１４に形成されたテスターランド（または、コネクタ部）を複数のポゴピン（または、フラットケーブル）によりテスタに接続することにより、集積回路の通電試験に用いられる。各プローブユニット１２のプローブ３４と基板１４の第１の配線部２０とは、配線フィルム３２の第２の配線部４４とスペーサ３６の１以上の細線６０と、導電性部２４とにより接続される。
【手続補正６】
【補正対象書類名】明細書
【補正対象項目名】００４６
【補正方法】変更
【補正の内容】
【００４６】
本発明は、半導体ウエーハに形成された複数の集積回路のための検査用ヘッドのみならず、複数の液晶パネルに切断前のパネルのような他の平板状被検査体のための検査用ヘッドにも適用することができる。
【手続補正書】
【提出日】平成16年6月10日(2004.6.10)
【手続補正１】
【補正対象書類名】明細書
【補正対象項目名】０００３
【補正方法】変更
【補正の内容】
【０００３】
この内輪４は、第一の内輪素子５と第二の内輪素子６とから成る。このうちの第一の内輪素子５の外周面の外端（自動車への組み付け状態で幅方向外側となる端部を言い、図６の右端）寄り部分には、車輪を支持固定する為の第二の取付フランジ７を設け、同じく中間部分には第一の内輪軌道８を設けている。又、上記第一の内輪素子５の内端部（自動車への組み付け状態で幅方向内側となる端部を言い、図６の左端部）には、他の部分よりも小径となった段部９を形成し、この段部９に、上記第二の内輪素子６を外嵌固定している。この第二の内輪素子６の外周面には、第二の内輪軌道１０を形成しており、これら第二の内輪素子６及び上記第一の内輪素子５の外周面にそれぞれ形成した第一、第二の内輪軌道８、１０により、上記内輪４の外周面に、上記複列の外輪軌道３、３と対向する複列の内輪軌道を設けている。この様な内輪４は、使用時には上記第二の取付フランジ７に固定した車輪と共に回転する。又、上記複列の外輪軌道３、３と第一、第二の内輪軌道８、１０との間には、それぞれ複数個ずつの転動体１１、１１を転動自在に設けて、上記外輪１の内側に上記内輪４を、回転自在に支持している。尚、図示の例では、転動体１１、１１として玉を使用しているが、重量が嵩む自動車用の回転速度検出装置付転がり軸受ユニットの場合には、転動体としてテーパころを使用する場合もある。
【手続補正２】
【補正対象書類名】明細書
【補正対象項目名】０００５
【補正方法】変更
【補正の内容】
【０００５】
又、上記外輪１の軸方向中間部で上記複列の外輪軌道３、３の間部分には、取付孔１５を、上記外輪１の外周面と内周面とを連通させる状態で形成している。そしてこの取付孔１５に挿入固定したセンサ１６の先端部に設けた検出面を、上記エンコーダ本体１４の外周面に、微小隙間１７を介して対向させている。
【手続補正３】
【補正対象書類名】明細書
【補正対象項目名】００１３
【補正方法】変更
【補正の内容】
【００１３】
上記エンコーダユニット１２ａは、第一の内輪素子５の中間部外周面に形成した円筒面部１９に外嵌固定している。上記エンコーダユニット１２ａは、それぞれが円筒状に形成された保持環１３ａとエンコーダ本体１４ａとから成る。このうちの保持環１３ａは、ＳＰＣＣの如き軟鋼板等の磁性金属板を曲げ形成し、断面Ｌ字形で全体を円筒状に形成したもので、円筒部２０と、この円筒部２０の軸方向一端部（図１〜３の左端部）から直径方向外方に折れ曲がった鍔部２１とを備える。この様な保持環１３ａを構成する上記円筒部２０の自由状態での内径Ｄは、上記円筒面部１９の外径よりも僅かに小さくして、この円筒面部１９に上記保持環１３を、締り嵌めにより外嵌固定自在としている。又、この保持環１３ａの軸方向（図１〜３の左右方向）に亙る長さＬは、上記円筒部２０の内径Ｄの３０％未満（Ｌ＜０．３Ｄ）としている。この様に各寸法Ｄ、Ｌの関係を規制する理由は、上記保持環１３ａを平坦な金属板から造るのに、加工コストが安いバーリング加工を採用した場合でも、各部に過大な応力が加わるのを防止して、上記円筒部２０の端部にクラック等の損傷が発生するのを防止する為である。上記長さＬが上記範囲を超える（Ｌ≧０．３Ｄ）と、各部の損傷を防止する為には、加工コストの高い深絞り加工を採用しなければならなくなり、不利である。
【手続補正４】
【補正対象書類名】明細書
【補正対象項目名】００１４
【補正方法】変更
【補正の内容】
【００１４】
上述の様な保持環１３ａを構成する、上記円筒部２０の外周面には、エンコーダ本体１４ａを固着している。このエンコーダ本体１４ａは、ゴム中にフェライト等の強磁性粉末を混入したゴム磁石で、上記円筒部２０の外周面に、焼き付け、接着等により固着している。この様なエンコーダ本体１４ａは、直径方向に亙って着磁すると共に、着磁方向を円周方向に亙って交互に且つ等間隔で変化させて、上記エンコーダ本体１４ａの外周面にＳ極とＮ極とを交互に、且つ等間隔で配置している。尚、この様なエンコーダ本体１４ａの一端縁（図１〜３の左端縁）と上記鍔部２１との間には、隙間２２を介在させている。この隙間２２は、円周方向に隣り合うＮ極とＳ極との間を流れる磁束が、上記鍔部２１を通じて漏洩する事を防止する役目を有する。
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
スライドガラス上の検体を撮像して検体を自動分析するとともに、撮像した検体の細胞画像を表示する検査装置において、撮像した検体の細胞画像を記憶しておき、前記記憶された細胞画像のうち複数の細胞画像が表示される画面を表示し、前記画面において１つの細胞画像が選択されると、前記画面上に前記選択された細胞画像を拡大表示し、更に前記画面において別の細胞画像が選択されると、前記画面上に前記拡大表示された細胞画像と共に前記選択された別の細胞画像を拡大表示するようにしたことを特徴とする検査装置。
【請求項２】
前記画面上に拡大表示されたそれぞれの細胞画像が、相隣接して表示される請求項１記載の検査装置。
【手続補正２】
【補正対象書類名】明細書
【補正対象項目名】０００５
【補正方法】変更
【補正の内容】
【０００５】
【課題を解決するための手段】
この発明の検査装置は、スライドガラス上の検体を撮像して検体を自動分析するとともに、撮像した検体の細胞画像を表示する検査装置において、撮像した検体の細胞画像を記憶しておき、前記記憶された細胞画像のうち複数の細胞画像が表示される画面を表示し、前記画面において１つの細胞画像が選択されると、前記画面上に前記選択された細胞画像を拡大表示し、更に前記画面において別の細胞画像が選択されると、前記画面上に前記拡大表示された細胞画像と共に前記選択された別の細胞画像を拡大表示するようにしている。
【手続補正３】
【補正対象書類名】明細書
【補正対象項目名】００２３
【補正方法】変更
【補正の内容】
【００２３】
図２の画面において、オペレータがマトリクス表示部３１ａの検体の１つをマウスで指定し、クリックするか、検査結果表示部３３のいずれかの検体のデータを指定してクリックし、続いて画面上部の「レビュー」ボタンをクリックすると、図６に示すように、その指定検体のレビュー画面が表示される。次に、オペレータが図６の画面において、例えば、最上段右から２つめの細胞画像Ｇ14が、どの分類に属するか判断したい場合、この細胞画像Ｇ14をクリックすると、この細胞画像Ｇ14が拡大され、図６のレビュー画面にオーバラップして表示される。これを、例えば標準細胞に近い画像と思われる最上段の左から２つめの細胞画像Ｇ12と比較したい場合、この細胞画像Ｇ12をクリックする。これにより、図６の元の画面にオーバラップして、クリックした２つの細胞画像Ｇ14、Ｇ12が、図７に示すように拡大表示される。比較すべき、細胞画像Ｇ14、Ｇ12が拡大されて、しかも相隣接する場所に表示されるので、非常に比較しやすくなる。